(57)【要約】【課題】使用者に効率的なコミュニケーションを提供する無線携帯移動機を提供する。【解決手段】通話または電子メール送信失敗時に、無線送受信部１０１は通信に失敗したことを制御部１０３に通知し、制御部１０３は一定時間後に通信を切断し、同一登録番号再検索手段１０５を使用して、電話帳メモリ１０７に同一の通信相手先として記憶されている電話番号もしくは電子メールアドレスを検索し、表示部１０４に、別の電話番号もしくは電子メールによる通信が可能であることを案内する表示を行う。使用者は、この案内に従って操作部１０２を操作することにより、効率よく別の通信手段によるコミュニケーションを行うことが可能となる。【選択図】        図１
2004274375.tif 000002
【特許請求の範囲】
【請求項１】
接続先と無線通信接続を行い、所定の無線情報を送受信する無線携帯移動機であって、
前記無線携帯移動機に備わる各手段の一連の動作処理を制御し、制御するための制御情報もしくは前記無線情報もしくはその他無線通信接続に関する種々の情報を各手段に送受信する制御手段と、
接続先より受信する前記無線情報を前記制御手段に送信し、前記制御手段より受信する前記制御情報もしくは前記無線情報を接続先に送信して、前記無線情報の送受信を行う無線送受信手段と、
前記無線情報もしくは前記制御手段の制御に伴う前記制御情報の入力に対し、前記制御手段に前記無線情報もしくはその他無線通信接続に関する種々の入力情報を送信する入力手段と、
前記制御手段より受信する前記無線情報もしくは接続先と無線通信接続を行うための接続先に関する電話帳情報を記憶し、前記制御手段より受信する前記制御情報による制御に伴い、前記無線情報もしくは前記電話帳情報を送信する情報記憶手段と、
前記制御手段より受信する前記制御情報の制御に伴い、前記制御手段より受信する前記無線情報もしくは前記電話帳情報もしくはその他無線通信接続に関する種々の表示情報を表示する表示手段と、
前記制御手段より受信する前記制御情報による制御に伴い、前記情報記憶手段に記憶されている前記電話帳情報を検索し、対応する検索結果を前記制御手段に送信する同一登録番号再検索手段とを有することを特徴とする無線携帯移動機。
【請求項２】
前記無線送受信手段が、前記無線情報を接続先に送信することができず、接続先との無線通信接続が失敗したときに、前記制御手段は、前記同一登録番号再検索手段に前記制御情報を送信して制御を行い、前記同一登録番号再検索手段は、前記情報記憶手段に記憶されている前記電話帳情報を検索し、対応する検索結果を前記制御手段に送信し、前記制御手段は、前記検索結果を前記表示手段に送信し、前記表示手段は、前記検索結果を表示することで、前記入力手段による所定の入力を促すことを特徴とする請求項１に記載の無線携帯移動機。
【請求項３】
前記情報記憶手段は、同一の接続先との無線通信接続を行う際に利用されることになる電話帳情報が過去に利用された回数を表す呼び出し回数に関する呼び出し回数情報をさらに記憶しており、
前記同一登録番号再検索手段は、前記情報記憶手段に記憶されている前記呼び出し回数情報をも検索し、対応する検索結果を前記制御手段に送信することを特徴とする請求項１に記載の無線携帯移動機。
【請求項４】
前記無線送受信手段が、前記無線情報を接続先に送信することができず、接続先との無線通信接続が失敗したときに、前記制御手段は、前記同一登録番号再検索手段に前記制御情報を送信して制御を行い、前記同一登録番号再検索手段は、前記情報記憶手段に記憶されている前記電話帳情報および前記呼び出し回数情報を検索し、対応する検索結果を前記制御手段に送信し、前記制御手段は、前記検索結果を前記表示手段に送信し、前記表示手段は、前記呼び出し回数情報に基づき、前記検索結果を表示することで、前記入力手段による所定の入力を促すことを特徴とする請求項３に記載の無線携帯移動機。
【請求項５】
前記無線情報は接続先との通話内容を表す通話情報であり、前記電話帳情報は接続先と通話するための電話番号であることを特徴とする請求項１から４の何れか１項に記載の無線携帯移動機。
【請求項６】
前記無線情報は接続先への電子メールとしての文書情報であり、前記電話帳情報は接続先と電子メールを送受信するための電子メールアドレスであることを特徴とする請求項１から４の何れか１項に記載の無線携帯移動機。
【発明の詳細な説明】
【０００１】
【発明の属する技術分野】
本発明は、無線携帯移動機に関するものであり、特に同一の登録番号に対して複数の電話番号および電子メールアドレスを登録できる電話帳メモリを有する場合、通話または電子メール送信失敗時に速やかに同一の登録番号に登録されている他の電話番号または電子メールアドレスを電話帳メモリから呼び出すことで使用者に効率的なコミュニケーションを提供する無線携帯移動機に関するものである。
【０００２】
【従来の技術】
無線携帯移動機を使用して、通話や電子メールの送受信に代表される無線通信を実行しようとしても、通信失敗に終わってしまうケースがある。原因としては複雑なところもあるが、主として２つ考えられる。
【０００３】
１番目としては無線通信の環境そのものに関する悪条件である。周囲の建築物の立地状況、無線通信可能な圏内に居るかどうか、といった環境に伴う諸条件が良くないと、移動局−基地局間の電波状況の悪化に繋がり、結果として通信失敗に陥る。
【０００４】
２番目としては相手先が無線携帯移動機の電話番号や電子メールのアドレスを変更していた場合（特に「迷惑メール」の対策としての意味合いが強い）である。この場合、相手が前の電話番号もしくは電子メールのアドレスを使用していなければ当然通信失敗になる。
【０００５】
しかし、通信失敗になったとしても用件を伝えておきたいと思うのであれば、使用者は再度上記の無線通信を行うことになり、同じ電話番号もしくは同じ電子メールアドレスを繰り返し入力することになる。ここで無線通信を行う従来の無線携帯移動機の通信方式一般例を図６を参照して説明する。
【０００６】
図６において、無線送受信部６０１は、無線携帯移動機における通話および電子メールデータを含めた無線情報の送受信を行う。制御部６０３では電話の発着信および電子メールの送受信を制御する。操作部６０２は、電話の発着信および電子メールの送受信を含む使用者の操作を制御部６０３に通知する。使用者が操作部６０２から通信する相手の電話帳データを呼び出す操作がなされた場合、制御部６０３は情報記憶装置６０５内に設けた電話帳メモリ６０６から表示部６０４に通信する相手の電話帳データを表示し、使用者は電話の発信または電子メールの送信操作に移行する。ここで、通信が失敗した際、制御部６０３は一定時間後通信を切断する。その後、使用者は再び通信したい場合、電話帳メモリ６０６からの呼び出し操作をする。
【０００７】
しかしながら、このような無線携帯移動機の通信方法においては、次のような課題がある。第１の課題は、無線携帯移動機において、発信や電子メールの送信が失敗し、同一登録番号の他の電話番号または電子メールに対して通信したい際は、通信したい相手の電話帳メモリから再び検索しなければいけないので使用者の操作の手間がかかることである。
【０００８】
第２の課題は、無線携帯移動機において上述の理由により、使用者の操作が繰り返されるので消費電流の増加につながることである。
【０００９】
第３の課題は、無線携帯移動機において、発信や電子メールの送信が失敗し、同一の相手に対して通信を行いたいが、電話帳メモリからの検索を始めからしなければいけないため通信相手の間違いが生じてしまう恐れがあることである。
【００１０】
上記の課題を克服する１つの方法としては、通信失敗に陥っても通信接続の繰り返し処理を自動化できるようにすればよい。実際、この自動化を可能にした従来技術が存在する。
【００１１】
例えば、特許文献１、２に記載の技術は、前述した通信失敗の原因の１番目を鑑みたものであり、通信失敗になっても通信接続が可能になる状態を見極めてから再度通信接続を行うといった形で通信接続の自動化を可能としている。
【００１２】
一方、前述した通信失敗の原因の２番目を鑑みた技術としては例えば、不適切なメールアドレスでメールの送信が失敗した場合に、その相手から受信済みのメールからメールアドレスを抽出し、再送信の際の候補となるメールアドレス一覧を表示する形で通信接続の自動化を可能としているものがある。
【００１３】
【特許文献１】
特開２００１−０７７９３９号公報
【特許文献２】
特開平０７−３２２３５４号公報
【００１４】
【発明が解決しようとする課題】
最近では目的用途に応じて複数の電話番号、電子メールアドレスを使い分けている人達が多いので、それらを電話帳メモリに格納しておけば、ある通信接続で失敗になっても、別の連絡先を選択することで通信接続の自動化を従来例より簡単に行うことができる。本発明は、そのような別の連絡先を瞬時に電話帳メモリから検索して通信接続を行い、使用者が効率的なコミュニケーションを行える無線携帯移動機を提供することを目的とする。
【００１５】
また、別の連絡先を選ぶにあたり、適当な判断基準を設定することで使用者がより効率的なコミュニケーションを行える無線携帯移動機を提供することを目的とする。この判断基準としては、無線通信接続のときに過去に呼び出された回数を採り上げ、呼び出し回数の多い連絡先を優先的に表示し、使用者に選択させることで効率性を高めている。
【００１６】
【課題を解決するための手段】
かかる目的を解決するため、請求項１に記載の発明は、接続先と無線通信接続を行い、所定の無線情報を送受信する無線携帯移動機であって、無線携帯移動機に備わる各手段の一連の動作処理を制御し、制御するための制御情報もしくは無線情報もしくはその他無線通信接続に関する種々の情報を各手段に送受信する制御手段と、接続先より受信する無線情報を制御手段に送信し、制御手段より受信する制御情報もしくは無線情報を接続先に送信して、無線情報の送受信を行う無線送受信手段と、無線情報もしくは制御手段の制御に伴う制御情報の入力に対し、制御手段に無線情報もしくはその他無線通信接続に関する種々の入力情報を送信する入力手段と、制御手段より受信する無線情報もしくは接続先と無線通信接続を行うための接続先に関する電話帳情報を記憶し、制御手段より受信する制御情報による制御に伴い、無線情報もしくは電話帳情報を送信する情報記憶手段と、制御手段より受信する制御情報の制御に伴い、制御手段より受信する無線情報もしくは電話帳情報もしくはその他無線通信接続に関する種々の表示情報を表示する表示手段と、制御手段より受信する制御情報による制御に伴い、情報記憶手段に記憶されている電話帳情報を検索し、対応する検索結果を制御手段に送信する同一登録番号再検索手段とを有することを特徴とする。
【００１７】
請求項２に記載の発明は、請求項１に記載の発明において、無線送受信手段が、無線情報を接続先に送信することができず、接続先との無線通信接続が失敗したときに、制御手段は、同一登録番号再検索手段に制御情報を送信して制御を行い、同一登録番号再検索手段は、情報記憶手段に記憶されている電話帳情報を検索し、対応する検索結果を制御手段に送信し、制御手段は、検索結果を表示手段に送信し、表示手段は、検索結果を表示することで、入力手段による所定の入力を促すことを特徴とする。
【００１８】
請求項３に記載の発明は、請求項１に記載の発明において、情報記憶手段は、同一の接続先との無線通信接続を行う際に利用されることになる電話帳情報が過去に利用された回数を表す呼び出し回数に関する呼び出し回数情報をさらに記憶しており、同一登録番号再検索手段は、情報記憶手段に記憶されている呼び出し回数情報をも検索し、対応する検索結果を制御手段に送信することを特徴とする。
【００１９】
請求項４に記載の発明は、請求項３に記載の発明において、無線送受信手段が、無線情報を接続先に送信することができず、接続先との無線通信接続が失敗したときに、制御手段は、同一登録番号再検索手段に制御情報を送信して制御を行い、同一登録番号再検索手段は、情報記憶手段に記憶されている電話帳情報および呼び出し回数情報を検索し、対応する検索結果を制御手段に送信し、制御手段は、検索結果を表示手段に送信し、表示手段は、呼び出し回数情報に基づき、検索結果を表示することで、入力手段による所定の入力を促すことを特徴とする。
【００２０】
請求項５に記載の発明は、請求項１から４の何れか１項に記載の発明において、無線情報は接続先との通話内容を表す通話情報であり、電話帳情報は接続先と通話するための電話番号であることを特徴とする。
【００２１】
請求項６に記載の発明は、請求項１から４の何れか１項に記載の発明において、無線情報は接続先への電子メールとしての文書情報であり、電話帳情報は接続先と電子メールを送受信するための電子メールアドレスであることを特徴とする。
【００２２】
【発明の実施の形態】
以下、本発明の実施の形態を図面を参照して説明する。
【００２３】
＜実施の形態１の構成＞
まず図１において、実施の形態１の無線携帯移動機の構成を説明する。
【００２４】
無線送受信部１０１は、無線携帯移動機における通話および電子メールデータを含めた無線情報の送受信を行う。
【００２５】
操作部１０２は、電話の発着信および電子メールの送受信を含む使用者の操作を制御部１０３に通知する。
【００２６】
制御部１０３は電話の発着信および電子メールの送受信に関する一連の動作を制御する。
【００２７】
表示部１０４は、通信する相手の電話帳データを表示する。
【００２８】
同一登録番号再検索手段１０５は、通信失敗時に電話帳メモリ１０７に格納されている電話帳データを再検索する。
【００２９】
情報記憶装置１０６は、通信処理における一連のデータを格納する箇所であり、電話帳メモリ１０７を有する。
【００３０】
電話帳メモリ１０７は、通信する相手の電話帳データを格納する箇所であり、情報記憶装置１０６内に設けられる。本実施形態において電話帳データとしては、通信相手の「登録番号」、「名前」、「電話番号」、「メールアドレス」を扱っており、「電話番号」、「メールアドレス」は複数登録されているものとする。
【００３１】
使用者が操作部１０２から通信する相手の電話帳データを呼び出す操作がなされた場合、制御部１０３は情報記憶装置１０６内に設けた電話帳メモリ１０７から表示部１０４に通信する相手の電話帳データを表示し、使用者は電話の発信または、電子メールの送信操作に移行する。
【００３２】
ここで、通信が失敗した際、無線送受信部１０１は通信に失敗したことを制御部１０３に通知し、制御部１０３は一定時間後に通信を切断し、同一登録番号再検索手段１０５を使用して、電話帳メモリ１０７に同一の通信相手先として記憶されている電話番号もしくは電子メールアドレスを検索し、表示部１０４に、別の電話番号もしくは電子メールによる通信が可能であることを案内する表示を行う。使用者は、この案内に従って操作部１０２を操作することにより、効率よく別の通信手段によるコミュニケーションを行うことが可能となる。
【００３３】
図２を参照すると、図１における構成にて、実施の形態１の無線携帯移動機を使用した例が示されている。図２において、電話帳データ２０１は、図１の電話帳メモリ１０７に登録されている特定の通信相手の電話帳データである。発信画面２０２は、電話帳データ２０１から電話したい登録電話番号を読み出して、図１の表示部１０４に表示し無線通信状態に移行する例である。
【００３４】
この際、発信に失敗したとする（２０３）と、無線送受信部１０１は制御部１０３に通知し一定時間後、通話が自動的に遮断される。すると、制御部１０３は、同一登録番号再検索手段１０５を使って電話帳メモリ１０７から通話に失敗した相手の登録番号に登録されている他の電話番号もしくは電子メールアドレスを検索し、案内画面例２０４を表示部１０４に表示する。この時、［ＹＥＳ］を選択することでその他の電話番号もしくは電子メールアドレスが表示部１０４に表示される。このようにして使用者は続けて通信動作に移行することが出来る。
【００３５】
＜実施の形態１の動作＞
図３により、実施の形態１の動作をフローチャートで説明する。図３において、使用者が通信相手の電話帳メモリ呼び出し３０１を行うと図１の操作部１０２から制御部１０３に通知され、電話帳データ３０２が表示部１０４に表示される。使用者が通信操作３０３を行うと操作部１０２から制御部１０３に通知され無線送受信部１０１から無線通信され、３０４の条件判断で通信が成功すると通信３０５の状態にいき、使用者の通信切断操作に従って操作部１０２から制御部１０３に通知され通信切断３０６をする。
【００３６】
もし、３０４の条件判断で通信が失敗すると、その通知が無線送受信部１０１から制御部１０３にされ一定時間後制御部１０３は通信を切断する（３０７）。ここで制御部１０３は同一登録番号再検索手段１０５による同一登録番号再検索３０８を行う。ここでは、制御部１０３が通信相手と同一の通信相手として登録されている電話帳メモリを呼び出し（３１０）、条件判断３１１で他の電話番号もしくは電子メールアドレスがなかった場合、その旨の通知（３１２）を行う。他の電話番号もしくは電子メールアドレスがあった場合、制御部１０３は情報記憶装置１０６内に設けた電話帳メモリ３１４（１０７）から取り出し、同一の通信相手として登録されている他の電話番号もしくは電子メールアドレスがあった旨を案内（３１５）表示する。
【００３７】
使用者は、この案内に従って操作部１０２を操作することにより、通信を行わない場合はそのまま終了し、通信する場合は制御部１０３によって表示部１０４に電話帳データ表示（３０２）し、再び通信操作３０３からの通信処理に行くことで、効率よく別の通信手段によるコミュニケーションを行うことが可能となる。
【００３８】
具体的には、使用者が通話や電子メールの送信に失敗した際に容易に、電話帳メモリから同一相手の他の登録電話番号または電子メールアドレスを読み出すことが出来るので使用者の手間を省くことが出来るので、操作性を向上させることが出来る。
【００３９】
また、使用者が通話や電子メールの送信に失敗しても即時に他の登録電話番号や電子メールアドレスを読み出すので、電話帳メモリからの読み出しによる消費電流の増加を防ぐことが出来る。
【００４０】
また、使用者が通信に失敗した際、同一相手の他の電話番号または電子メールアドレスを電話帳メモリから呼び出したいのに関わらず使用者の操作ミスにより相手を間違えるということを防ぐことができる。
【００４１】
＜実施の形態２の構成＞
次に図４において、実施の形態２の無線携帯移動機の構成について説明する。実施の形態２は実施の形態１に対し、同一登録番号再検索手段１０５が別の通信手段を確保するための適当な判断基準を設定することで、より効率よく別の通信手段によるコミュニケーションを行うことを可能にしたものである。
【００４２】
無線送受信部４０１は、無線携帯移動機における通話および電子メールデータを含めた無線情報の送受信を行う。
【００４３】
操作部４０２は、電話の発着信および電子メールの送受信を含む使用者の操作を制御部４０３に通知する。
【００４４】
制御部４０３では電話の発着信および電子メールの送受信に関する一連の動作を制御する。
【００４５】
表示部４０４は、通信する相手の電話帳データを表示する。
【００４６】
同一登録番号再検索手段４０５は、通信失敗時に電話帳メモリ４０７に格納されている電話帳データを再検索する。
【００４７】
情報記憶装置４０６は、通信処理における一連のデータを格納する箇所であり、電話帳メモリ４０７、呼び出し回数格納４０８を有する。
【００４８】
電話帳メモリ４０７は、通信する相手の電話帳データを格納する箇所であり、情報記憶装置４０６内に設けられる。本実施形態において電話帳データとしては、通信相手の「登録番号」、「名前」、「電話番号」、「メールアドレス」を扱っており、「電話番号」、「メールアドレス」は複数登録されているものとする。
【００４９】
呼び出し回数格納４０８は、通信相手先の電話番号もしくは電子メールアドレスを呼び出した回数を格納している箇所であり、情報記憶装置４０６内に設けられる。
【００５０】
使用者が操作部４０２から通信する相手の電話帳データを呼び出す操作がなされた場合、制御部４０３は情報記憶装置４０６内に設けた電話帳メモリ４０７から表示部４０４に通信する相手の電話帳データを表示し、使用者は通信操作に移行する。
【００５１】
ここで、通信が失敗した際、無線送受信部４０１は通信に失敗したことを制御部４０３に通知し、制御部４０３は一定時間後に通信を切断し、同一登録番号再検索手段４０５を使用して、電話帳メモリ４０７に同一の通信相手先として記憶されている電話番号もしくは電子メールアドレスがあるかどうかを検索する。そしてあらかじめ同一の通信相手先として記憶されている電話番号もしくは電子メールアドレスの呼び出した回数が格納されている、呼び出し回数格納４０８から呼び出し回数の多い順に電話帳データを取り出し、表示部４０４に別の電話番号もしくは電子メールによる通信が可能であることの案内表示を行う。使用者は、この案内に従って操作部４０２を操作することにより、効率よく別の通信手段によるコミュニケーションを行うことが可能となる。
【００５２】
＜実施の形態２の動作＞
図５により、実施の形態２の動作をフローチャートで説明する。図５において、使用者が通信相手の電話帳メモリ呼び出し５０１を行うと図４の操作部４０２から制御部４０３に通知され、電話帳データ５０２が表示部４０４に表示される。使用者が通信操作５０３を行うと操作部４０２から制御部４０３に通知され無線送受信部４０１から無線通信（５０５）され、使用者の通信切断操作がされると操作部４０２から制御部４０３に通知され通信切断（５０６）する。
【００５３】
５０４で通信が失敗するとその通知が無線送受信部４０１から制御部４０３にされ一定時間後制御部４０３は通信を切断する（５０７）。ここで制御部４０３は同一登録番号再検索手段４０５による同一登録番号再検索５０８を行う。ここでは、制御部４０３が電話帳メモリ４０７から通信相手と同一の通信相手先として記憶されている電話帳メモリを呼び出し（５１０）、条件判断５１１で電話帳メモリに登録されているその他の電話番号もしくは電子メールアドレスがあるかどうかを検索し、なかったらその旨の通知（５１２）を行う。５１１で他の電話番号もしくは電子メールアドレスがあった場合、同一登録番号呼び出し処理５１３によってあらかじめ同一の通信相手先として記憶されている電話番号もしくは電子メールアドレスの中で呼び出した回数が情報記憶装置４０６内の呼び出し回数格納４０８に格納されており、制御部４０３は、呼び出した回数の多い順に電話番号もしくは電子メールアドレスを取り出し、表示部４０４に別の電話番号もしくは電子メールによる通信が可能であることを案内表示（５１４）する。
【００５４】
使用者は、この案内に従って操作部４０２を操作することにより、通信をしない場合はそのまま処理を終了し、通信を行いたい場合、制御部４０３は表示部４０４に電話帳データ表示（５０２）し、５０３からの通信処理に移行することで、効率よく別の通信手段によるコミュニケーションを行うことが可能となる。
【００５５】
具体的には、使用者が通話や電子メールの送信に失敗した際に容易に、電話帳メモリから同一相手の他の登録電話番号または電子メールアドレスを読み出すことが出来るので使用者の手間を省くことが出来るので、操作性を向上させることが出来る。この読み出しは呼び出し回数格納４０８に格納されている呼び出し回数を考慮しているので、実施の形態１の場合より容易である。
【００５６】
また、使用者が通話や電子メールの送信に失敗しても即時に他の登録電話番号や電子メールアドレスを読み出すので、電話帳メモリからの読み出しによる消費電流の増加を防ぐことが出来る。
【００５７】
また、使用者が通信に失敗した際、同一相手の他の電話番号または電子メールアドレスを電話帳メモリから呼び出したいのに関わらず使用者の操作ミスにより相手を間違えるということを防ぐことができる。
【００５８】
【発明の効果】
本発明により、使用者が通話や電子メールの送信に失敗したときでも、別の連絡先を瞬時に電話帳メモリから検索し、通信接続の自動化を行う構成であるので、使用者は効率的なコミュニケーションを行える。
【００５９】
また、別の連絡先を選ぶにあたり、適当な判断基準を設定することで使用者がより効率的なコミュニケーションを行える。
【図面の簡単な説明】
【図１】実施の形態１の無線携帯移動機の構成ブロック図である。
【図２】実施の形態１の使用例を示した図である。
【図３】実施の形態１の無線携帯移動機の動作処理である。
【図４】実施の形態２の無線携帯移動機の構成ブロック図である。
【図５】実施の形態２の無線携帯移動機の動作処理である。
【図６】従来の無線携帯移動機の構成ブロック図である。
【符号の説明】
１０１、４０１  無線送受信部
１０２、４０２  操作部
１０３、４０３  制御部
１０４、４０４  表示部
１０５、４０５  同一登録番号再検索手段
１０６、４０６  情報記憶装置
１０７、４０７  電話帳メモリ
４０８  呼び出し回数格納
【図１】
2004274375.tif 000003
【図２】
2004274375.tif 000004
【図３】
2004274375.tif 000005
【図４】
2004274375.tif 000006
【図５】
2004274375.tif 000007
【図６】
2004274375.tif 000008